(57)【要約】【課題】周囲の機器などと共に全体的な省電力を実現可能にする。【解決手段】本体部を制御する第１制御部と、前記第１制御部の制御に応じて通信を行う第１通信部と、前記本体部及び前記第１制御部に対して電力を供給又は遮断する切替えを行う切替部と、前記第１制御部よりも低電力で動作する第２制御部と、前記第１通信部よりも低電力で動作し、前記第２制御部に対する通信を行う第２通信部と、を有し、前記第２制御部は、前記第２通信部を介して受信した信号に応じて前記切替部を制御する。【選択図】図３
2014109952.tif 000002
【特許請求の範囲】
【請求項１】
本体部を制御する第１制御部と、
前記第１制御部の制御に応じて通信を行う第１通信部と、
前記本体部及び前記第１制御部に対して電力を供給又は遮断する切替えを行う切替部と、
前記第１制御部よりも低電力で動作する第２制御部と、
前記第１通信部よりも低電力で動作し、前記第２制御部に対する通信を行う第２通信部と、
を有し、
前記第２制御部は、
前記第２通信部を介して受信した信号に応じて前記切替部を制御すること
を特徴とする情報処理装置。
【請求項２】
前記第２制御部は、
外部機器に対する電力供給の要否を判断し、判断結果に応じて前記外部機器に対する電力の供給又は遮断を制御する制御コマンドを、前記第２通信部を介して送信すること
を特徴とする請求項１に記載の情報処理装置。
【請求項３】
環境の明るさを検出する検出部
をさらに有し、
前記第２制御部は、
前記検出部が検出した環境の明るさに応じて、前記制御コマンドを送信すること
を特徴とする請求項２に記載の情報処理装置。
【請求項４】
時間の経過を計測するタイマー
をさらに有し、
前記第２制御部は、
前記タイマーの計測結果に応じて、前記制御コマンドを送信すること
を特徴とする請求項２又は３に記載の情報処理装置。
【請求項５】
前記第２制御部は、
前記外部機器に対する電力の供給又は遮断の状態を、前記制御コマンドに対応させて記憶部に記憶させること
を特徴とする請求項２乃至４のいずれか１項に記載の情報処理装置。
【請求項６】
前記第２制御部及び前記第２通信部は、
前記本体部に対して着脱自在にされていること
を特徴とする請求項１乃至５のいずれか１項に記載の情報処理装置。
【発明の詳細な説明】
【技術分野】
【０００１】
本発明は、情報処理装置に関する。
【背景技術】
【０００２】
省電力を目的として、電力の見える化や、遠隔操作による電源制御を行うことが知られている。
【０００３】
例えば、特許文献１には、情報処理装置からの要求に従って遠隔制御装置から送信された当該装置の電源を制御する制御コマンドに従って、当該装置の電源を制御する電源制御手段により電源のオン／オフを制御する画像処理装置が開示されている。
【発明の概要】
【発明が解決しようとする課題】
【０００４】
しかしながら、周囲の機器などと共に全体的な省電力を実現することはできないという問題があった。
【０００５】
本発明は、上記に鑑みてなされたものであって、周囲の機器などと共に全体的な省電力を実現可能にする情報処理装置を提供することを目的とする。
【課題を解決するための手段】
【０００６】
上述した課題を解決し、目的を達成するために、本発明は、本体部を制御する第１制御部と、前記第１制御部の制御に応じて通信を行う第１通信部と、前記本体部及び前記第１制御部に対して電力を供給又は遮断する切替えを行う切替部と、前記第１制御部よりも低電力で動作する第２制御部と、前記第１通信部よりも低電力で動作し、前記第２制御部に対する通信を行う第２通信部と、を有し、前記第２制御部は、前記第２通信部を介して受信した信号に応じて前記切替部を制御する。
【発明の効果】
【０００７】
本発明によれば、周囲の機器などと共に全体的な省電力を実現可能にすることができるという効果を奏する。
【図面の簡単な説明】
【０００８】
【図１】図１は、画像処理装置の概要を例示する構成図である。
【図２】図２は、画像処理装置及びその周辺機器の電力制御を行う構成を示す構成図である。
【図３】図３は、実施形態にかかる画像処理装置の概要を例示する構成図である。
【図４】図４は、画像処理装置及びその周辺機器の電力制御を行う構成を示す構成図である。
【図５】図５は、周囲が暗くなった場合に電力制御を行う画像処理装置の第１の変形例を示す図である。
【図６】図６は、自動電源オフ時間が経過した場合に電力制御を行う画像処理装置の第２の変形例を示す図である。
【図７】図７は、外部機器の電力を制御した結果を保持する画像処理装置の第３の変形例を示す図である。
【図８】図８は、画像処理装置の第４の変形例を示す図である。
【発明を実施するための形態】
【０００９】
（背景）
本発明にかかる画像処理装置などの情報処理装置について説明するにあたって、まず本発明をするに至った背景について説明する。図１は、画像処理装置１ａの概要を例示する構成図である。画像処理装置１ａは、例えばエンジン部２、電源部３及びコントローラ部４ａを有するＭＦＰ（Multifunction  Printer）である。また、画像処理装置１ａには、主電源スイッチ１０及び照度検出部１１が設けられている。主電源スイッチ（ＳＷ）１０は、画像処理装置１ａに対する通電のオンオフを行うスイッチである。照度検出部１１は、画像処理装置１ａの周囲の照度を検出する。
【００１０】
エンジン部２は、定着ユニット２０、モータ２２、ファン２４及びエンジン制御部２６を有する。定着ユニット２０は、定着ヒータ２００及び温度センサ２０２を有する。定着ヒータ２００は、画像処理装置１ａが用紙などの記録媒体に転写した画像を定着させる。温度センサ２０２は、定着ユニット２０の周囲の温度を検出し、エンジン制御部２６に対して出力する。モータ２２は、画像処理装置１ａ内の駆動部材を駆動する。ファン２４は、画像処理装置１ａ内の発熱部などを冷却する。エンジン制御部２６は、Ｉ／Ｏ制御部２６０及びＣＰＵ２６２を有する。Ｉ／Ｏ制御部２６０は、ＣＰＵ２６２の制御に応じて定着ユニット２０、モータ２２及びファン２４を制御する。
【００１１】
ＰＳＵ（Power  Supply  Unit：電源部）３は、リレー３０、コンバータ３２及びスイッチ３４を有する。リレー３０は、ＡＣ電源から定着ユニット２０へ供給される電力を、定着ユニット２０の動作状態に応じて遮断する。コンバータ３２は、ＡＣ電源を５Ｖ及び３．３ＶのＤＣ電源に変換し、ＤＣ電源で動作する各部に電力を供給する。また、コンバータ３２は、例えばコントローラ部４ａへ電力を供給するＡ電源系と、スイッチ３４を介してエンジン部２及びコントローラ部４ａへ電力を供給するＣ電源系とが設けられている。Ａ電源系は、常時電力供給可能にされており、後述する省エネコントローラ４３ａ及び低電力マイコン４５ａに対して電力を供給する。スイッチ３４は、省エネモードが設定された場合、ＤＣ電源の一部をオフにする。
【００１２】
コントローラ部４ａは、ＲＡＭ４０、ＲＯＭ４１、ＣＰＵ４２ａ、省エネコントローラ４３ａ、制御部４４ａ、低電力マイコン（マイクロコンピュータ）４５ａ、スイッチ４６、タイマー４７及び第１インターフェイス（Ｉ／Ｆ）部４８ａを有する。ＲＯＭ４１は、画像処理装置１ａを動作させるプログラムを記憶している。制御部４４ａは、ＣＰＵ４２ａ及び省エネコントローラ４３ａなどとともにエンジン制御部２６を制御する。省エネコントローラ４３ａは、例えばスイッチ３４を制御してＣ電源系を遮断することにより、省エネルギー化を行う。また、省エネコントローラ４３ａは、例えば図示しないＣＰＵを含み、第１Ｉ／Ｆ部４８ａを介して外部機器との通信を行う。タイマー４７は、時間の経過を計測し、予め定められた自動電源オフ時間、自動電源オン時間及び設定時刻などにイベントを通知する。
【００１３】
画像処理装置１ａは、タイマー４７に設定された自動電源オフ時間が経過すると、ＣＰＵ４２ａが省エネコントローラ４３ａを介してスイッチ３４をオフにし、低電力マイコン４５ａがスイッチ４６をオフにして、電源オフ状態へ移行する。画像処理装置１ａは、電源オフ状態へ移行すると、低電力マイコン４５ａ、タイマー４７、照度検出部１１及び主電源ＳＷ１０を除く各部に対する電力供給が遮断される。
【００１４】
また、画像処理装置１ａは、タイマー４７に設定された自動電源オン時間が経過すると、低電力マイコン４５ａがスイッチ４６をオンにした後に省エネコントローラ４３ａがスイッチ３４をオンにし、電源オン状態へ移行する。画像処理装置１ａは、動作中やレディ状態の場合には、スイッチ４６及びスイッチ３４はオンにされている。
【００１５】
このように、画像処理装置１ａは、省エネモードが設定された場合にはスイッチ３４がオフにされ、Ａ電源系によって省エネコントローラ４３ａ及び低電力マイコン４５ａに電力が供給される。また、画像処理装置１ａは、電源オフ状態にされた場合には、スイッチ３４に加えてスイッチ４６がオフにされ、省エネコントローラ４３ａへの電力供給が遮断される。画像処理装置１ａが電源オフ状態にされた場合、低電力マイコン４５ａが消費する電力は数ｍＷという非常に小さな消費電力となる。
【００１６】
次に、画像処理装置１ａの周囲に複数の機器が配置されている場合の電力制御について説明する。図２は、画像処理装置１ａ及びその周辺機器の電力制御を行う構成を示す構成図である。画像処理装置１ａは、電源タップ１０７を介してＡＣ電源ラインから電力の供給を受ける。画像処理装置１ａ及び電源タップ１０７は、ネットワーク１００を介してシステム制御を行うサーバー１０２に接続されている。
【００１７】
画像処理装置１ａの外部機器であるＬＰ（Laser  Printer）１０１、照度検出部１０４及び人感センサ１０５もネットワーク１００を介してサーバー１０２に接続されている。また、温度センサ１０６は、ＡＰ（Access  Point）１０３及びネットワーク１００を介してサーバー１０２に接続されている。なお、環境センサである温度センサ１０６及び照度検出部１０４は、ＡＣ電源ラインから電力を供給されてもよいし、電池から電力を供給されてもよい。
【００１８】
例えば遠隔制御によってＬＰ１０１の電源をオフにする場合、サーバー１０２は、ネットワーク１００を介してＬＰ１０１にシャットダウン処理を実行するように指示する。ＬＰ１０１のシャットダウン処理が完了すると、サーバー１０２は、ネットワーク１００を介して電源タップ１０８をオフにする制御指示を行う。電源タップ１０８は、サーバー１０２の制御に応じてＬＰ１０１に電力を供給するＡＣ電源ラインを遮断する。
【００１９】
また、遠隔操作によってＬＰ１０１の電源をオンにする場合、サーバー１０２は、ネットワーク１００を介して電源タップ１０８をオンにする制御指示を行う。電源タップ１０８は、サーバー１０２の制御に応じてオンになり、ＬＰ１０１にＡＣ電源ラインからの電力を供給する。電源タップ１０８を介してＡＣ電源ラインからの電力がＬＰ１０１へ供給されると、ＬＰ１０１はコールドスタートする。
【００２０】
この場合、ＡＣ電源ラインのオン／オフを制御するための電源タップ１０８分の電力を消費してしまう。例えば、電源タップ１０８は、ネットワーク１００を介して制御される場合には、１Ｗ程度の電力を消費する。また、電源タップ１０８によってＬＰ１０１の電源をオフにした場合、ＬＰ１０１の電源を機器本体からオンにするには、事前に電源タップ１０８をオンにしておく必要がある。
【００２１】
（実施形態）
以下に添付図面を参照して、情報処理装置としての画像処理装置の実施形態を説明する。図３は、実施形態にかかる画像処理装置１ｂの概要を例示する構成図である。以下、画像処理装置１ｂにおいて、図１に示した画像処理装置１ａを構成する部分と実質的に同一の部分には、同一の符号が付してある。
【００２２】
画像処理装置１ｂは、例えばエンジン部２、電源部３及びコントローラ部４ｂを有するＭＦＰ（Multifunction  Printer）である。また、画像処理装置１ｂには、主電源スイッチ１０が設けられている。また、画像処理装置１ｂには、第１Ｉ／Ｆ部４８ａ及び第２Ｉ／Ｆ部４８ｂが設けられている。第１Ｉ／Ｆ部４８ａは、例えばネットワーク１００（図２参照）を介して画像データなどの通信を行う第１通信部として機能する。第２Ｉ／Ｆ部４８ｂは、例えばＺｉｇＢｅｅ（登録商標）などによって構成される第２通信部であり、第１Ｉ／Ｆ部４８ａよりも低電力で無線通信を行う。第２Ｉ／Ｆ部４８ｂは、例えば外部の制御ＰＣ（Personal  Computer）１０９が送信する遠隔制御信号を受信する。また、第２Ｉ／Ｆ部４８ｂは、外部の照度センサ１１０が検出した照明１１１の照度を示す信号を受信する。また、第２Ｉ／Ｆ部４８ｂは、人が近づいたか否かを検出する人感センサ１１２の検出結果を示す信号を受信する。
【００２３】
コントローラ部４ｂは、ＲＡＭ４０、ＲＯＭ４１、ＣＰＵ４２ｂ、省エネコントローラ４３ｂ、制御部４４ｂ、低電力マイコン４５ｂ、スイッチ４６を有する。ＲＯＭ４１は、画像処理装置１ｂを動作させるプログラムを記憶している。例えば、ＣＰＵ４２ｂ、省エネコントローラ４３ｂ及び制御部４４ｂは、エンジン部２及び電源部３などからなる画像処理装置１ｂの本体部を制御する第１制御部を構成する。省エネコントローラ４３ｂは、例えばスイッチ３４を制御してＣ電源系を遮断することにより、省エネルギー化を行う。また、省エネコントローラ４３ｂは、例えば図示しないＣＰＵを含み、第１Ｉ／Ｆ部４８ａを介して外部機器との通信を行う。
【００２４】
低電力マイコン４５ｂは、第２Ｉ／Ｆ部４８ｂが受信した信号に応じて、省エネコントローラ４３ｂ及びスイッチ４６を制御する。つまり、スイッチ４６及びスイッチ３４は、本体部及び第１制御部に対して電力を供給又は遮断する切替えを行う切替部となっている。低電力マイコン４５ｂは、上述した第１制御部よりも低電力で動作する第２制御部として機能する。
【００２５】
画像処理装置１ｂは、省エネモードが設定された場合にはスイッチ３４がオフにされ、Ａ電源系によって省エネコントローラ４３ｂ及び低電力マイコン４５ｂに電力が供給される。また、画像処理装置１ｂは、電源オフ状態にされた場合には、スイッチ３４に加えてスイッチ４６がオフにされ、省エネコントローラ４３ｂへの電力供給が遮断される。画像処理装置１ｂが電源オフ状態にされた場合、低電力マイコン４５ｂ及び第２Ｉ／Ｆ部４８ｂに電力が供給される。低電力マイコン４５ｂ及び第２Ｉ／Ｆ部４８ｂが消費する電力は数ｍＷという非常に小さな消費電力となる。以下、画像処理装置１ｂの動作例について詳述する。
【００２６】
（第１動作例）
画像処理装置１ｂが外部機器からの制御に応じて電源オンになる場合、画像処理装置１ｂは、制御ＰＣ１０９などの外部機器から、電源をオンにする制御コマンドなどを受信する。具体的には、画像処理装置１ｂは、第２Ｉ／Ｆ部４８ｂによって電源をオンにする制御コマンドなどを受信する。低電力マイコン４５ｂは、第２Ｉ／Ｆ部４８ｂを介して制御コマンドを受入れると、制御コマンドを解釈して判断を行い、電源をオンにする場合にはスイッチ４６をオンにする。
【００２７】
（第２動作例）
画像処理装置１ｂが外部機器からの制御に応じて電源オフになる場合、画像処理装置１ｂは、制御ＰＣ１０９などの外部機器から、電源をオフにする制御コマンドなどを受信する。具体的には、画像処理装置１ｂは、第２Ｉ／Ｆ部４８ｂによって電源をオフにする制御コマンドなどを受信する。低電力マイコン４５ｂは、第２Ｉ／Ｆ部４８ｂを介して制御コマンドを受入れると、制御コマンドを解釈して判断を行う。
【００２８】
そして、低電力マイコン４５ｂは、電源をオフにする場合には、電源をオフにする旨を示す通知を省エネコントローラ４３ｂに対して行う。ＣＰＵ４２ｂは、省エネコントローラ４３ｂ及び制御部４４ｂを介して電源をオフにする旨を示す通知を受け、シャットダウン処理を実行する。また、ＣＰＵ４２ｂは、電源をオフにする制御指示を低電力マイコン４５ｂに対して出力する。低電力マイコン４５ｂは、電源をオフにする制御指示に応じてスイッチ４６を制御し、スイッチ４６を介して省エネコントローラ４３ｂに電力を供給するＢ電源系を遮断する。
【００２９】
（第３動作例）
画像処理装置１ｂは、第２Ｉ／Ｆ部４８ｂによって人感センサ１１２の検出結果を示す信号を受信する。低電力マイコン４５ｂは、人感センサ１１２から受信した信号に応じて、画像処理装置１ｂの本体部の電源及び外部機器の少なくともいずれかをオン又はオフにする制御の要否を判断する。
【００３０】
例えば、低電力マイコン４５ｂは、画像処理装置１ｂの本体部及び外部機器の電源をオンにする必要があると判断した場合には、スイッチ４６をオンにする。スイッチ４６がオンにされると、ＣＰＵ４２ｂは、電力の供給を受けて起動する。
【００３１】
ＣＰＵ４２ｂが起動すると、コントローラ部４ｂは、人感センサ１１２から受信した信号及び各種設定情報に応じて、電源をオンにする制御を行う対象となる外部機器などを特定する。そして、コントローラ部４ｂは、例えば電源をオンにする制御を行う外部機器に対し、第２Ｉ／Ｆ部４８ｂによって電源をオンにする制御指示を送信する。
【００３２】
このように、ＣＰＵ４２ｂによって外部機器の電源のオンオフを制御する場合、各種設定情報に対して、インテリジェントな制御を行うことが可能となる。また、ＣＰＵ４２ｂによって外部機器の電源のオンオフを制御する場合、低電力マイコン４５ｂの機能を単純化することができるので、画像処理装置１ｂの電源オフ状態における低電力化も実現できる。
【００３３】
次に、画像処理装置１ｂの周囲に複数の機器が配置されている場合の電力制御について説明する。図４は、画像処理装置１ｂ及びその周辺機器の電力制御を行う構成を示す構成図である。画像処理装置１ｂ及びＬＰ１１３は、電源タップを介することなくＡＣ電源ラインから電力の供給を受ける。また、画像処理装置１ｂ及びＬＰ１１３は、ネットワーク１００を介してサーバー１０２に接続されている。画像処理装置１ｂ及びＬＰ１１３は、それぞれ低電力インターフェイス４９ｂを有する。なお、低電力インターフェイス４９ｂは、図３に示した第２Ｉ／Ｆ部４８ｂと同じものであってもよいし、第２Ｉ／Ｆ部４８ｂと低電力マイコン４５ｂとを合わせたものであってもよい。照度検出部１１４、人感センサ１１５及び温度センサ１１６は、それぞれ低電力インターフェイス４９ｂと無線通信を行う。
【００３４】
例えば、サーバー１０２は、画像処理装置１ｂ及びＬＰ１１３に対し、ネットワーク１００を介して印刷指示を行う。つまり、データ量が多く高速通信が要求される画像データは、ネットワーク１００を介して送信される。一方、画像処理装置１ｂ及びＬＰ１１３は、低電力インターフェイス４９ｂを用いて電源をオン／オフする制御を行う。そして、画像処理装置１ｂ及びＬＰ１１３は、電源タップによる消費電力を抑えることができる。
【００３５】
より具体的には、例えば、照度検出部１１４は、画像処理装置１ｂの周囲の照度を検出し、検出結果を画像処理装置１ｂの低電力インターフェイス４９ｂへ送信する。画像処理装置１ｂは、受信した検出結果に基づいて周囲が暗くなったことを例えば低電力マイコン４５ｂが認識した場合、画像処理装置１ｂ及びＬＰ１１３の電源をオフにする判断を行う。画像処理装置１ｂは、本体部の電源をオフにする。また、画像処理装置１ｂは、低電力インターフェイス４９ｂからＬＰ１１３の電源をオフにする制御コマンドをＬＰ１１３の低電力インターフェイス４９ｂへ送信する。ＬＰ１１３は、電源をオフにする制御コマンドに応じて電源をオフにする制御を行う。このように、画像処理装置１ｂは、環境の変化を示す信号を受信し、環境の変化に応じて周囲の機器の電源を制御する。
【００３６】
次に、周囲が暗くなった場合に、画像処理装置１ｂが行う電力制御について詳述する。図５は、周囲が暗くなった場合に電力制御を行う画像処理装置１ｂの第１の変形例を示す図である。図５において、画像処理装置１ｂは、照度検出部１１を有するように構成されているが、この構成に限定されない。例えば、画像処理装置１ｂは、図４に示した照度検出部１１４から周囲の照度を示す信号を受信するように構成されてもよい。
【００３７】
例えば、照度検出部１１は、照明１１１が消えたことを検出すると、検出結果を省エネコントローラ４３ｂなどに対して出力する。ＣＰＵ４２ｂは、省エネコントローラ４３ｂを介して照度検出部１１の検出結果を受入れ、画像処理装置１ｂ及び外部機器（例えばＬＰ１１３）の電源をオフすると判断し、第２Ｉ／Ｆ部４８ｂを介して電源をオフする制御コマンドをＬＰ１１３に対して送信する。さらに、ＣＰＵ４２ｂは、画像処理装置１ｂのシャットダウン処理を実行し、低電力マイコン４５ｂに対して電源をオフする制御指示を行う。低電力マイコン４５ｂは、ＣＰＵ４２ｂからの制御指示に応じてスイッチ４６をオフにする。このように、画像処理装置１ｂは、照度検出部１１の検出結果に応じてＬＰ１１３の電力制御を行う。
【００３８】
次に、自動電源オフ時間が経過した場合に、画像処理装置１ｂが行う電力制御について詳述する。図６は、自動電源オフ時間が経過した場合に電力制御を行う画像処理装置１ｂの第２の変形例を示す図である。図６において、画像処理装置１ｂは、タイマー４７を有するように構成されている。
【００３９】
例えば、タイマー４７に設定された自動電源オフ時間が経過した場合（又は設定時刻になった場合）、タイマー４７は、ＣＰＵ４２ｂに対してイベント通知を行う。ＣＰＵ４２ｂは、タイマー４７からデータをロードし、外部機器（ＬＰ１１３など）の設定条件を確認して、電源をオフにする外部機器を特定する。そして、ＣＰＵ４２ｂは、特定した外部機器に対し、第２Ｉ／Ｆ部４８ｂを介して電源をオフする制御指示を行う。
【００４０】
次に、画像処理装置１ｂが外部機器の電力を制御した場合に行う動作について説明する。図７は、外部機器の電力を制御した結果（状態）を保持する画像処理装置１ｂの第３の変形例を示す図である。図７において、画像処理装置１ｂは、記憶部としての不揮発性メモリ５０を有するように構成されている。
【００４１】
ＣＰＵ４２ｂは、第２Ｉ／Ｆ部４８ｂを介してＬＰ１１３の電源のオン／オフを制御した場合、外部機器の電力を制御した結果（状態）を示すデータを不揮発性メモリ５０内に格納する。例えば、画像処理装置１ｂがＬＰ１１３の電源をオンにする場合、ＣＰＵ４２ｂは、ＬＰ１１３の状態を示すデータを不揮発性メモリ５０からロードする。そして、ＣＰＵ４２ｂは、ＬＰ１１３の電源がオフであれば電源をオンにする必要があると判断し、第２Ｉ／Ｆ部４８ｂを介して電源をオンする制御指示をＬＰ１１３に対して送信する。
【００４２】
ＬＰ１１３は、電源をオンする制御指示を受信すると、制御指示に応じて電源をオンにする。そして、ＬＰ１１３は、電源をオンにしたことを示す通知を画像処理装置１ｂへ送信する。画像処理装置１ｂは、ＬＰ１１３が電源をオンにしたことを示す通知を第２Ｉ／Ｆ部４８ｂを介して受信すると、不揮発性メモリ５０が格納しているデータを更新する。
【００４３】
次に、画像処理装置１ｂの第４の変形例について説明する。図８は、画像処理装置１ｂの第４の変形例を示す図である。画像処理装置１ｂの第４の変形例は、画像処理装置１ｂに対して着脱自在にされた基板６を有する。基板６は、第２Ｉ／Ｆ部４８ｂ及びＩ／Ｆ制御部６０が実装されている。Ｉ／Ｆ制御部６０は、図３等に示した低電力マイコン４５ｂ等の機能の一部を実行する。例えば、Ｉ／Ｆ制御部６０は、第２Ｉ／Ｆ部４８ｂの制御、コマンドの解釈と判断などを行う。低電力マイコン４５ｂは、Ｉ／Ｆ制御部６０の判断結果に応じてスイッチ４６を制御する。基板６には、Ａ電源系から電力が供給される。つまり、画像処理装置１ｂは、第２Ｉ／Ｆ部４８ｂを介して電力制御を行う機能を有していなくても、基板６が装着されることにより、第２Ｉ／Ｆ部４８ｂを介して電力制御を行う機能を備えることができる。
【符号の説明】
【００４４】
１ｂ  画像処理装置
２  エンジン部
３  ＰＳＵ（電源部）
４ａ，４ｂ  コントローラ部
６  基板
１１  照度検出部
２０  定着ユニット
２２  モータ
２４  ファン
２６  エンジン制御部
３０  リレー
３２  コンバータ
３４，４６  スイッチ
４２ｂ  ＣＰＵ
４３ｂ  省エネコントローラ
４４ｂ  制御部
４５ｂ  低電力マイコン
４７  タイマー
４８ａ  第１Ｉ／Ｆ部
４８ｂ  第２Ｉ／Ｆ部
４９ｂ  低電力インターフェイス
５０  不揮発性メモリ
６０  Ｉ／Ｆ制御部
１００  ネットワーク
１０２  サーバー
１０９  制御ＰＣ
１１０  照度センサ
１１３  ＬＰ
１１４  照度検出部
１１５  人感センサ
１１６  温度センサ
【先行技術文献】
【特許文献】
【００４５】
【特許文献１】特開２００９−１２９２４２号公報
【図１】
2014109952.tif 000003
【図２】
2014109952.tif 000004
【図３】
2014109952.tif 000005
【図４】
2014109952.tif 000006
【図５】
2014109952.tif 000007
【図６】
2014109952.tif 000008
【図７】
2014109952.tif 000009
【図８】
2014109952.tif 000010